(57)【特許請求の範囲】
【請求項１】
外箱とこの外箱に対して空間をあけて重なるように配設される内箱とで構成される断熱箱体と、
この断熱箱体の下部後方に形成される機械室と貯蔵室とを区画すると共に、外箱の底面から機械室の前側を囲むように上方に立ち上がり、折曲部で後方に折り曲がって後部まで延出して機械室を前側および上側から囲む仕切板部と、
少なくとも前記断熱箱体の両側壁部の外箱と内箱の間の空間に配設され、下部後方の角部に前記機械室を避けるように形成された傾斜部を有する真空断熱パネルとを有し、
前記仕切板部の折曲部の両側壁部に近接する両端部は、前記機械室側に後退する凹部を有し、
前記真空断熱パネルの前記傾斜部は前記凹部に対向して配置されていることを特徴とする冷蔵庫。
【請求項２】
前記折曲部は、曲面形状に折り曲がって形成され、前記凹部は、直線状に形成されていることを特徴とする請求項1記載の冷蔵庫。
【請求項３】
前記断熱箱体の両側壁部を構成している外箱の内箱に対向する内面に密着して放熱パイプが上下方向に延出して配設され両側壁側の前記真空断熱パネルは、当該放熱パイプが埋設される凹溝を有し、この凹溝に放熱パイプを埋設しながら外箱の内箱に対向する内面に密着して配設され、上下方向に延出して配設される放熱パイプは、前記真空断熱パネルの下端の下方で後方に折り曲げられ前記機械室まで延出し、前記真空断熱パネルは、放熱パイプの折り曲げ部の間近まで延出していることを特徴とする請求項1または２に記載の冷蔵庫。
【発明の詳細な説明】
【技術分野】
【０００１】
本発明の実施形態は、断熱箱体を構成する外箱と内箱の間の空間に真空断熱パネルを配設して、断熱性能を向上した冷蔵庫に関する。
【背景技術】
【０００２】
冷蔵庫は、その断熱性能の向上および省エネルギー化を図るために、断熱箱体を構成する外箱と内箱の間の空間に真空断熱パネルを設けるとともに、この真空断熱材を設けた前記空間の隙間に硬質ウレタンフォーム等などからなる発泡断熱材を充填している。
【先行技術文献】
【特許文献】
【０００３】
【特許文献１】特開平１０−２５３２４３号公報
【特許文献２】特開２００９−２２８９１７号公報
【発明の概要】
【発明が解決しようとする課題】
【０００４】
上述したように、冷蔵庫は、省エネルギー化を図るために、真空断熱パネルおよび発泡断熱材を充填されて断熱性能を著しく向上した断熱箱体で構成されているが、更に省エネルギー化を図ることが要望されている。
【０００５】
本発明は、上記に鑑みてなされたもので、その目的とするところは、省エネルギー化を更に図り、冷蔵効率を向上し得る冷蔵庫を提供することにある。
【課題を解決するための手段】
【０００６】
上記課題を達成するため、実施形態によれば、機械室を区画する仕切板部の後部寄りで上方に立ち上がった上方立上り部とこの上方立上り部から後方に折れ曲がって後部まで延出した後方延出部との間の折曲部の両側壁部に近接する両端部は、該折曲部の出っ張りを後方に後退させて傾斜部を構成し、この出っ張りを削除された傾斜部に平行に近接する位置まで前記両側壁側真空断熱パネルの前記傾斜部が延出している。
【図面の簡単な説明】
【０００７】
【図１】本発明の一実施形態に係わる冷蔵庫の内部構造を示す部分分解斜視図である。
【図２】図１に示す冷蔵庫の斜め後方から見た斜視図である。
【図３】図１に示す冷蔵庫に使用されている真空断熱パネルを示す平面図および断面図である。
【図４】図１に示す冷蔵庫の側部の内部構造を示す側面図である。
【図５】図１に示す冷蔵庫の後部を示す後面図である。
【図６】図１に示す冷蔵庫の底壁部および機械室を構成している仕切板部の構造を示す斜視図である。
【図７】図１に示す冷蔵庫の下部後方の機械室を含む構造を示す斜視図である。
【発明を実施するための形態】
【０００８】
以下、図面を用いて、本発明を実施するための形態(以下、実施形態と称する)を説明する。
【０００９】
図１は、本発明の一実施形態に係わる冷蔵庫の内部構造を示す部分分解斜視図である。同図に示す冷蔵庫１００は、前面側が開放された全体として直方体の箱体１で構成されている。この箱体１の開放した前面側には、冷蔵庫１００の扉が、内部には棚板、隔壁等が取り付けられるようになっているが、図面の簡単化のため、省略されている。
【００１０】
箱体１は、外箱３とこの外箱３に対して空間をあけて内側に重なるように配設された内箱５とで構成される。なお、図１においては、箱体１の両側に設けられる両側壁部と、背面側に設けられる後壁部および底面側に設けられる底壁部に対応して箱体１の外側に４枚の真空断熱パネル７ａ、７ｂ、７ｃ、７ｄが説明的に図示されているが、これらの真空断熱パネル７（真空断熱パネル７ａ、７ｂ、７ｃ、７ｄを総称する場合には、単に真空断熱パネル７と記載する）は、箱体１の両側壁部、後壁部および底壁部の外箱３と内箱５との間の空間に配設され、箱体１、ひいては冷蔵庫１００の断熱性能を向上している。
【００１１】
また、真空断熱パネル７を配設された箱体１の外箱３と内箱５との間の空間の隙間、すなわち箱体１の外箱３と内箱５との間の空間内における真空断熱パネル７と内箱５との間の隙間および外箱３と内箱５との間には、硬質ウレタンフォーム等などからなる発泡断熱材が充填され、箱体１の断熱性能を更に向上している。従って、以降では、箱体１を断熱箱体１とも称する。
【００１２】
冷蔵庫１００は、断熱箱体１の貯蔵室内部が上下方向で複数の部分に分割され、最上部には冷蔵室１１が設けられ、この冷蔵室１１の下には野菜室１３が設けられ、この野菜室１３の下には製氷室１５と切替室１７が横に並んで設けられ、この製氷室１５と切替室１７の下には冷凍室１９が設けられている。
【００１３】
なお、真空断熱パネル７は、外箱３の内箱５に対向する内面に密着して配設されている。更に詳しくは、真空断熱パネル７のうち、真空断熱パネル７ａ、７ｂが配設される断熱箱体１の両側壁部を構成している外箱３の内箱５に対向する内面には、図４に符号４１で示すように、放熱パイプが上下方向に延出して配設されている。この放熱パイプ４１が配設される断熱箱体１の両側壁部に設けられる真空断熱パネル７ａ、７ｂ（この両側壁部に設けられる真空断熱パネル７ａ、７ｂを両側壁側真空断熱パネル７ａ、７ｂと称する）は、放熱パイプ４１が埋設される凹溝を図３（ａ）、（ｂ）で符号７１ａ、ｂで示すように有し、この凹溝７１ａ、７１ｂに放熱パイプ４１を埋設しながら外箱３の内箱３に対向する内面に密着して配設されている。
【００１４】
なお、上下方向に延出して配設される放熱パイプ４１は、図４に示すように、両側壁側真空断熱パネル７ａ、７ｂの下端を超えて少し下方に延出してから後方に折り曲げられ、後述する機械室３１内に延出している。なお、両側壁側真空断熱パネル７ａ、７ｂは、放熱パイプ４１の前記折り曲げられた部分の間近までより近接するように延出している。
【００１５】
上述したように真空断熱パネル７の配設および発泡断熱材の充填により断熱性能の向上した断熱箱体１において、両側壁側真空断熱パネル７ａ、７ｂは、断熱箱体１の側壁部を構成する外箱３と内箱５との間の空間の上部から下部まで全体的に延出しているが、この両側壁側真空断熱パネル７ａ、７ｂの下部後方の角部は、斜めに削除されて、傾斜部７７を構成している。これは、この下部後方に対応する断熱箱体１の角部には、図２に示すように、前記機械室３１が形成され、この機械室３１内に冷凍サイクルを構成するコンプレッサなどが設置されるものであるため、そのスペースを確保するとともに、これらによる機械室３１からの熱を断熱箱体１内にこもらせず、外部に放出するために下部後方が斜めに切り取られているものである。
【００１６】
なお、断熱箱体１の底壁部を構成する外箱３と内箱５との間の空間には、図１に示したように、途中で上方に斜めに折れ曲がった真空断熱パネル７ｄの折れ曲がっていない水平部７ｄａが外箱３の内面に取り付けられ、上方に斜めに折れ曲がった斜め立上り部７ｄｂは断熱箱体１の底壁部の斜め上方に立ち上がった部分のほぼ真中辺りまで延出し、この両側に発泡断熱材が充填されている。
【００１７】
また、断熱箱体１の底壁部を構成する外箱３と内箱５との間の空間内のその他の部分、すなわち断熱箱体１の底壁部の真空断熱パネル７ｄと内箱５との間および真空断熱パネル７ｄのない外箱３と内箱５との間の空間、すなわち隙間には、発泡断熱材が充填されている。断熱箱体１の底壁部の斜め上方に立ち上がった後端部と断熱箱体１の後壁部の下端部は連結され、両者の外箱３と内箱５との間の空間には、発泡断熱材２１が充填されている。そして、断熱箱体１の底壁部の斜め上方に立ち上がった後端部の後側には、前記機械室３１が形成されている。
【００１８】
前記機械室３１は、図２および図４に示すように、貯蔵室側と仕切板部５１によって区画される。この仕切板部５１は、断熱箱体１の外箱３の底壁部を構成すると共に、その後部寄りで上方に立ち上がった上方立上り部３３と、この上方立上り部３３の上端から後述する折曲部３７で後方に折り曲がって後部まで延出した後方延出部３５とによって構成されている。これにより前記仕切板部５１は前記機械室３１の前側および上側を囲むようにして、貯蔵室との間を区画している。
【００１９】
なお、図５は、冷蔵庫１００の後部を示す後面図であり、この冷蔵庫１００の下部に機械室３１が構成され、この機械室３１内にコンプレッサ９９、その他、図示しないファン、コンデンサ等が設けられている。なお、図４は、この図５の線Ａ−Ａに沿った側面図である。
【００２０】
上述したように、機械室３１を構成する上方立上り部３３とこの上方立上り部３３から後方に折れ曲がった後方延出部３５との間の折曲部３７は、図２、図６および図７に示すように、全体としては曲面形状に出っ張るように形成されるものである。
【００２１】
この折曲部３７の両端部、すなわち断熱箱体１の両側壁部に近接する両端部は、折曲部の曲面状の出っ張り部分が前記機械室側に後退して凹んでいる傾斜部３９（凹部に相当）が形成され、貯蔵室側に空間部分が形成される。換言すると、折曲部の曲面状の出っ張り部分が削除されて直線状の傾斜部３９が形成される。そして、この傾斜部３９に真空断熱パネル７ａ、７ｂの傾斜部７７が対向して配置されている。これにより、この出っ張りを削除された傾斜部３９に平行に近接する位置まで両側壁側真空断熱パネル７ａ、７ｂの傾斜部７７の延出が可能とされ、この延出した分だけ両側壁側真空断熱パネル７ａ、７ｂが大きく形成され、断熱箱体１の両側壁部、すなわち貯蔵室側面側の断熱効果を更に向上している。また、製造の際に、両側壁側真空断熱パネル７ａ、７ｂの形状や配置位置に僅かな差異が生じても仕切板部５１と当たることが無くなるため組立性も良くなる。
【００２２】
図６は、機械室３１を構成する上方立上り部３３と後方延出部３５との間の折曲部３７とこの折曲部３７の両端部の傾斜部３９を明確に示す前側から見た斜視図である。図６において、断熱箱体１の底壁部を構成する仕切板部５１の後部寄りで上方に立ち上がった上方立上り部３３とこの上方立上り部３３から後方に折り曲がって後部まで延出した後方延出部３５との間の折曲部３７は、曲面形状に折り曲がって出っ張るように形成されているが、この折曲部３７の両端部、すなわち断熱箱体１の両側壁部に近接する両端部は、折曲部３７の曲面状の出っ張りを削除されて直線状の傾斜部３９に形成されている。
【００２３】
図７は、このように折曲部３７の曲面状の出っ張りを削除されて直線状に形成された傾斜部３９に対して平行に近接する位置まで側壁側真空断熱パネル７ｂの傾斜部７７を延出するように配設した状態を示す図である。同図に示すように、側壁側真空断熱パネル７ｂの傾斜部７７を傾斜部３９に近接するように延出すると、この側壁側真空断熱パネル７ｂの傾斜部７７が延出した分だけ側壁側真空断熱パネル７ｂを大きく形成することができ、これにより断熱効果を更に向上することができる。なお、上述した説明は、両側壁側真空断熱パネル７ａ、７ｂのうち右側の側壁側真空断熱パネル７ｂについて説明したが、左側の側壁側真空断熱パネル７ａについても同様である。
【００２４】
上述した側壁側真空断熱パネル７ｂの傾斜部７７と傾斜部３９との関係は、図４を参照することにより、更に明確になる。なお、図４は、上述したように、図５の線Ａ−Ａに沿った側面図であって、側壁側真空断熱パネルは、左側の側壁側真空断熱パネル７ａの場合について示しているが、図４に示すように、側壁側真空断熱パネル７ａの傾斜部７７は、傾斜部３９に平行に近接するまで延出しており、この側壁側真空断熱パネル７ｂの傾斜部７７が延出した分だけ側壁側真空断熱パネル７ａを大きく形成することができ、これにより断熱効果を更に向上することができる。
【００２５】
なお、実施形態は例示であり、発明の範囲はそれらに限定されない。
【符号の説明】
【００２６】
１  断熱箱体
３  外箱
５  内箱
７、７ａ、７ｂ、７ｃ、７ｄ  真空断熱パネル
３１  機械室
３３  上方立上り部
３５  後方延出部
３７  折曲部
３９  傾斜部
４１  放熱パイプ
５１  仕切板部
７１ａ、７１ｂ  凹溝
７７  傾斜部
１００  冷蔵庫
【図１】
0005562796.tif 000002
【図２】
0005562796.tif 000003
【図３】
0005562796.tif 000004
【図４】
0005562796.tif 000005
【図５】
0005562796.tif 000006
【図６】
0005562796.tif 000007
【図７】
0005562796.tif 000008